(57)【要約】  【課題】  空気調和機の故障又は破損原因の解析を容易にし、サービス性の向上を図る。【解決手段】  圧縮機６及び駆動モータをインバータ制御するインバータシステム１７を有する室外機１５と、室外機と信号線及び配管が接続される室内機１４と、室内機と通信を行い室温の設定を行うリモコン１３と、を備えたインバータ空気調和機において、インバータシステム１７の放熱を行う放熱フィンの温度を検出するフィン温度検出手段と１、インバータ制御のために供給される直流電圧を検出する直流電圧検出手段２と、圧縮機の運転電流を検出するモータ電流検出手段３と、記放熱フィンの温度と直流電圧及び運転電流の少なくともいずれかの値に基づいて異常を検出する異常検出手段５と、を有するインバータシステム１７を備え、放熱フィンの温度と直流電圧及び運転電流を記憶する。【選択図】図１
2005121302.tif 000002
【特許請求の範囲】
【請求項１】
圧縮機及び該圧縮機の駆動モータをインバータ制御するインバータシステムを有する室外機と、該室外機と信号線及び配管が接続される室内機と、前記室内機と通信を行い室温の設定を行うリモコンと、を備えたインバータ空気調和機において、
前記インバータシステムの放熱を行う放熱フィンの温度を検出するフィン温度検出手段と、
インバータ制御のために供給される直流電圧を検出する直流電圧検出手段と、
前記圧縮機の運転電流を検出するモータ電流検出手段と、
前記放熱フィンの温度と前記直流電圧及び前記運転電流の少なくともいずれかの値に基づいて異常を検出する異常検出手段と、
を有する前記インバータシステムを備え、前記放熱フィンの温度と前記直流電圧及び前記運転電流を記憶することを特徴とするインバータ空気調和機。
【請求項２】
請求項１に記載のものにおいて、前記放熱フィンの温度と前記直流電圧及び前記運転電流は前記室外機に設けられた不揮発メモリに記憶され、記憶された少なくともいずれかの値は前記リモコンで表示可能とされたことを特徴とするインバータ空気調和機。
【請求項３】
請求項１に記載のものにおいて、前記駆動モータの駆動周波数が記憶され、前記放熱フィンの温度と前記直流電圧及び前記運転電流と共に、前記リモコンに送信されることを特徴とするインバータ空気調和機。
【請求項４】
請求項１に記載のものにおいて、前記放熱フィンの温度と前記直流電圧及び前記運転電流は、所定期間毎に繰り返して前記室外機に設けられた不揮発メモリに記憶されることを特徴とするインバータ空気調和機。
【請求項５】
請求項１に記載のものにおいて、前記放熱フィンの温度と前記直流電圧及び前記運転電流は前記室外機に設けられた不揮発メモリに記憶され、前記室外機の外部より読み出し可能とされたことを特徴とするインバータ空気調和機。
【請求項６】
請求項１に記載のものにおいて、前記異常検出手段により前記放熱フィンの温度と前記直流電圧及び前記運転電流の少なくともいずれかの値が異常と判断された場合、異常発生までに記憶された値を保持することを特徴とするインバータ空気調和機。
【請求項７】
請求項１に記載のものにおいて、前記異常検出手段により前記放熱フィンの温度と前記直流電圧及び前記運転電流の少なくともいずれかの値が異常と判断された場合、前記リモコンへ異常が発生したことを送信し、表示することを特徴とするインバータ空気調和機。
【請求項８】
請求項１に記載のものにおいて、前記インバータシステムは前記室外機に設けられた室外制御部と双方向通信が可能とされ、双方向通信が行えなくなった場合、前記室外制御部は前記インバータシステムから送信された前記放熱フィンの温度と前記直流電圧及び前記運転電流の通信が行えなくなる直前の値を前記室外機に設けられた不揮発メモリに書き込むことを特徴とするインバータ空気調和機。
【発明の詳細な説明】
【技術分野】
【０００１】
本発明は、インバータを利用した空気調和機に関し、システムが故障又は破損した場合に原因究明を行うものに好適である。
【背景技術】
【０００２】
従来、過電流検出手段によって空気調和機の異常条件の一つである過電流を検知し、検出回数や過電流時のモータ周波数を不揮発メモリに記憶し、リモコンにて表示することが知られ、例えば特許文献１に記載されている。
【０００３】
【特許文献１】特開平０７−１７４３８７号公報
【発明の開示】
【発明が解決しようとする課題】
【０００４】
上記特許文献１のものでは過電流検出手段が破損した場合、不揮発メモリにデータを記憶させることができないばかりか、不揮発メモリを破損することがあり、不揮発メモリ内のデータを読み出すことができない。また、圧縮機とインバータの動作は負荷変動、電圧変動、外気温度変動と密接に関連しているが、これらと圧縮機の異常状態（過電流）を関連して記憶しているものではなく、システムの故障又は破損原因を究明するには充分ではない。  
本発明の目的は上記従来の技術の課題を解決し、空気調和機の故障又は破損原因の解析を容易にし、サービス性の向上を図ることにある。
【課題を解決するための手段】
【０００５】
上記目的を達成するため本発明は、圧縮機及び該圧縮機の駆動モータをインバータ制御するインバータシステムを有する室外機と、該室外機と信号線及び配管が接続される室内機と、前記室内機と通信を行い室温の設定を行うリモコンと、を備えたインバータ空気調和機において、前記インバータシステムの放熱を行う放熱フィンの温度を検出するフィン温度検出手段と、インバータ制御のために供給される直流電圧を検出する直流電圧検出手段と、前記圧縮機の運転電流を検出するモータ電流検出手段と、前記放熱フィンの温度と前記直流電圧及び前記運転電流の少なくともいずれかの値に基づいて異常を検出する異常検出手段と、を有する前記インバータシステムを備え、前記放熱フィンの温度と前記直流電圧及び前記運転電流を記憶するものである。
【０００６】
また、上記のものにおいて、前記放熱フィンの温度と前記直流電圧及び前記運転電流は前記室外機に設けられた不揮発メモリに記憶され、記憶された少なくともいずれかの値は前記リモコンで表示可能とされたことが望ましい。  
さらに、上記のものにおいて、前記駆動モータの駆動周波数が記憶され、前記放熱フィンの温度と前記直流電圧及び前記運転電流と共に、前記リモコンに送信されることが望ましい。
【０００７】
さらに、上記のものにおいて、前記放熱フィンの温度と前記直流電圧及び前記運転電流は、所定期間毎に繰り返して前記室外機に設けられた不揮発メモリに記憶されることが望ましい。  
さらに、上記のものにおいて、前記放熱フィンの温度と前記直流電圧及び前記運転電流は前記室外機に設けられた不揮発メモリに記憶され、前記室外機の外部より読み出し可能とされたことが望ましい。  
さらに、上記のものにおいて、前記異常検出手段により前記放熱フィンの温度と前記直流電圧及び前記運転電流の少なくともいずれかの値が異常と判断された場合、異常発生までに記憶された値を保持することが望ましい。  
さらに、上記のものにおいて、前記異常検出手段により前記放熱フィンの温度と前記直流電圧及び前記運転電流の少なくともいずれかの値が異常と判断された場合、前記リモコンへ異常が発生したことを送信し、表示することが望ましい。
【０００８】
さらに、上記のものにおいて、前記インバータシステムは前記室外機に設けられた室外制御部と双方向通信が可能とされ、双方向通信が行えなくなった場合、前記室外制御部は前記インバータシステムから送信された前記放熱フィンの温度と前記直流電圧及び前記運転電流の通信が行えなくなる直前の値を前記室外機に設けられた不揮発メモリに書き込むことが望ましい。
【発明の効果】
【０００９】
インバータシステムの放熱フィンの温度と直流電圧及び運転電流の値は、空気調和機の環境条件や圧縮機の異常状態に関連したデータであり、これを記憶するので、空気調和機システムの異常発生まであるいは異常前後の故障状態又は破損原因の詳細を究明することが容易となり、故障時の対応、再発防止策を迅速に行うことができる。また、空気調和機としての故障時の再現を可能とすることができる。
【発明を実施するための最良の形態】
【００１０】
以下、図を参照して本発明による一実施の形態を説明する。  
図１は本発明のインバータシステム１７の故障・破壊時におけるデータ保持及び表示する機能を備えた空気調和機の実施例の構成を示すブロック図であり、１は空気調和機のインバータシステム１７内で放熱のために用いられるフィンの温度を検出するフィン温度検出手段、圧縮機６のモータは直流電圧がインバータ制御で駆動され、２はインバータ制御のために供給される直流電圧を検出する直流電圧検出手段、３は圧縮機に流れる電流を検出するモータ電流検出手段である。  
インバータ制御部４は圧縮機６を駆動するための制御データをマイクロコンピュータ内に記憶し、検出されたフィン温度、直流電圧、モータ電流の値とモータ制御データを室外制御部へ送信又は受信する。  
圧縮機６はインバータ制御部４にて制御・駆動され、異常検出手段５は各検出値が異常である場合にインバータ制御部４に各検出値が異常であることを送信する。
【００１１】
室外制御部7は、インバータ制御部４より送信された各検出値と制御データを保持し記憶部又は上位へデータを送受信し、不揮発メモリ８はこの送受信に必要とされる各検出値と制御データを記憶する。室内制御部９は室外制御部７からの各検出値と制御データを送受信してリモコン制御部へ送信する。
【００１２】
読出し手段１１によってリモコン１３に設けられている表示手段１０に表示するための要求信号が出力され、室内制御部９から送信された各検出値と制御データがリモコン制御部１２に送信され、表示手段１０は受信した各検出データ及びモータ制御データを表示する。
【００１３】
以下、図1に示す実施例の動作を図３の動作フローチャートにより説明する。  
図1に示すフィン温度検出手段１により所定のフィン温度が検出されると、その検出値をインバータ制御部４にて保持する（Ｓ１）。次に直流電圧検出手段２により所定の直流電圧が検出されると、その検出値をインバータ制御部４にて保持する（Ｓ２）。さらにモータ電流検出手段３により所定のモータ電流が検出されると、その検出値をインバータ制御部４にて保持する（Ｓ３）。この（Ｓ１）から（Ｓ３）の検出値によりインバータシステム１７がある環境で圧縮機６を駆動していることがわかる。そして（Ｓ１）から（Ｓ３）の検出値をインバータ制御部は室外制御部７に送信する（Ｓ４）。また、インバータ制御部４内にて圧縮機６を駆動するためのモータ制御データを室外制御部７へ送信する（Ｓ５）室外制御部７は受信した検出値を保持する（Ｓ６）。
【００１４】
モータ制御データとはモータ極数、モータ周波数、モータ定数など圧縮機６を駆動するために必要なデータであり、インバータシステム１７が圧縮機６を駆動する際にモータ制御データと検出した各検出値を室外制御部７に送信する事でインバータシステム１７がどのような環境でどのように圧縮機６を制御しているかの駆動情報を得ることができる。通常はこの動作が繰り返され異常検出するまで所定期間のデータを保持する。  
この動作によりインバータシステム１７の情報は室外制御部７に保持されているのでインバータシステム１７が運転中に故障又は破損しシステムダウンしても異常発生時までの駆動情報を取り出すことが出来る。
【００１５】
異常検出手段４により検出した値が異常と判断された場合（Ｓ７）、室外制御部７は検出値とモータ制御データを不揮発メモリ８へ書き込む（Ｓ８）。  
異常検出手段が異常と判断するのはフィン温度検出値がインバータシステムの定格温度を越えた場合、直流電圧検出値が運転範囲外の電圧が印可された場合、あるいはモータ電流検出値が定格電流を越えた場合にインバータシステム１７の駆動情報は異常検出時まで期間、メモリ８に記憶されるので、どのような運転状態で異常となったのか知ることができる。
【００１６】
そして異常内容を表示する場合には読出し手段１１よりリモコン制御部１２へ異常内容を表示手段１０に表示するよう要求する点検ボタン１８を押す。（Ｓ９）  
リモコン制御部１２から室外制御部７は各検出値及び制御データを送受信して不揮発メモリ８の検出値及び制御データをリモコン制御部１２へ送信する（Ｓ１０）。送信された検出値と制御データは表示手段９にて表示される（Ｓ１１）。
【００１７】
図２はデータの表示を示し、リモコン制御部１２は、異常発生後にリモコン１３の点検ボタン１８が押されることにより異常発生時までの検出値と制御データとを室外制御部７へ要求する。要求されたデータは室外制御部7からリモコン制御部へ送信され、送信されたデータはリモコン制御部１２で保持され、フィン温度検出値、直流電圧検出値、モータ電流検出値、モータ制御データと表示データを機能選択ボタン１９で選択できる。そして室温設定ボタン２０の矢印キーを押すことにより異常発生時までのデータがリモコンに表示される。これによりインバータシステム１７の異常検出時の駆動情報を容易にかつ必要なときに随時取り出すことができ故障原因の解明が迅速に行なうことができる。
【００１８】
図４は、インバータシステム１７と室外制御部７との双方向通信を確認する例を示す。本例では、Ｓ１２でインバータシステム１７が何らかの原因で双方向通信ができなくなった場合、室外制御部７は検出値とモータ制御データを不揮発メモリ８へ書き込む（Ｓ８）。したがって、インバータシステム１７において異常検出手段５が異常と判断しなくてもインバータシステム１７が双方向通信をできない場合、例えばインバータシステム１７が故障・破損し双方向通信ができない場合でもデータを保持し表示する。これにより、インバータシステム１７が停止・故障・破損しても異常発生までのデータをリモコン１３の表示手段１０において表示することができることから故障解析が安易になり故障原因の解明が迅速に行える。
【図面の簡単な説明】
【００１９】
【図１】本発明による空気調和機を示すブロック図。
【図２】一実施の形態によるリモコンの外観図。
【図３】異常検出手段を用いた一実施の形態を示すフローチャート。
【図４】双方向通信を確認する他の実施の形態を示すフローチャート。
【符号の説明】
【００２０】
１…フィン温度検出手段、２…直流電圧検出手段、３…モータ電流検出手段、４…インバータ制御部、５…異常検出手段、６…圧縮機、７…室外制御部、８…不揮発メモリ、９…室内制御部、１０…表示手段、１１…読出し手段、１２…リモコン制御部、１３…リモコン、１４…室内機、１５…室外機、１６…制御基板、１７…インバータシステム。
【図１】
2005121302.tif 000003
【図２】
2005121302.tif 000004
【図３】
2005121302.tif 000005
【図４】
2005121302.tif 000006